(57)【要約】【課題】本発明は、液体安定性に優れ、かつ、低温時の使用性と高温時の使用性との両立を図れる衣料用液体洗浄剤組成物を目的とする。【解決手段】（Ａ）成分：ノニオン界面活性剤と、（Ｂ）成分：下記一般式（ｂ−１）で表される化合物と、（Ｃ）成分：アクリル酸アルキルとメタクリル酸アルキルとの非架橋型の共重合体と、を含有する、衣料用液体洗浄剤組成物。式中、Ｒ１〜Ｒ３は、それぞれ独立に水素原子又は炭素数１〜３のアルキル基であり、Ｒ４は、水素原子又はアセチル基である。［化１］2020033474.tif 000007【選択図】なし【特許請求の範囲】
【請求項１】
（Ａ）成分：ノニオン界面活性剤と、
（Ｂ）成分：下記一般式（ｂ−１）で表される化合物と、
（Ｃ）成分：アクリル酸アルキルとメタクリル酸アルキルとの非架橋型の共重合体と、を含有する、衣料用液体洗浄剤組成物。
【化１】
2020033474.tif 000006
［式中、Ｒ１〜Ｒ３は、それぞれ独立に水素原子又は炭素数１〜３のアルキル基であり、Ｒ４は、水素原子又はアセチル基である。］
【請求項２】
前記（Ａ）成分が、下記一般式（ａ−１）で表される化合物である、請求項１に記載の衣料用液体洗浄剤組成物。
Ｒ１１−Ｏ−（ＥＯ）ｍ−Ｈ  ・・・（ａ−１）
［式中、Ｒ１１は炭素数１０〜１８のアルキル基又はアルケニル基であり、ＥＯはオキシエチレン基であり、ｍはＥＯの平均繰り返し数を示し、２〜２０の数である。］
【発明の詳細な説明】
【技術分野】
【０００１】
本発明は、衣料用液体洗浄剤組成物に関する。
【背景技術】
【０００２】
衣料用液体洗浄剤組成物の特徴の一つとして、汚れが付着した被洗物（繊維製品等）に、直接塗布できる点が挙げられる。衣料用液体洗浄剤組成物を被洗物に直接塗布する際には、衣料用液体洗浄剤組成物の粘度が使用性の重要な指標となる。使用性とは、衣料用液体洗浄剤組成物を容器から排出する際の排出のしやすさや、衣料用液体洗浄剤組成物を被洗物に直接塗布する際の衣料用液体洗浄剤組成物の広がりやすさ等、衣料用液体洗浄剤組成物の使用のしやすさをいう。衣料用液体洗浄剤組成物が高粘度（例えば、２０００ｍＰａ・ｓ以上）であると、容器から排出しにくくなる。加えて、被洗物に衣料用液体洗浄剤組成物を直接塗布する際に広がりにくくなり、衣料用液体洗浄剤組成物を広範囲に塗布するためには、衣料用液体洗浄剤組成物の使用量が多くなる。
【０００３】
こうした問題に対し、特許文献１には、アニオン界面活性剤と、特定の構造を有するカチオン性ポリマーと、特定の構造を有する溶剤とを含有する衣料用液体洗浄剤組成物が提案されている。特許文献１の衣料用液体洗浄剤組成物は、冬場の低温時（例えば、５℃）の使用性の向上が図られている。
【先行技術文献】
【特許文献】
【０００４】
【特許文献１】特開２０１７−２２２７８９号公報
【発明の概要】
【発明が解決しようとする課題】
【０００５】
衣料用液体洗浄剤組成物は、夏場の高温時（例えば、３５℃）には低粘度になり、被洗物の汚れに狙い通りに塗布しにくくなったり、容器から液だれが発生したりする。
しかしながら、特許文献１では、高温時での使用性については、配慮されていない。
加えて、衣料用液体洗浄剤組成物は、固形分が析出せず、液が白濁しないこと（液体安定性）が求められる。
【０００６】
本発明は、上記事情に鑑みてなされたものであり、液体安定性に優れ、かつ、低温時の使用性と高温時の使用性との両立を図れる衣料用液体洗浄剤組成物を目的とする。
【課題を解決するための手段】
【０００７】
鋭意検討を重ねた結果、本発明者等は、ノニオン界面活性剤と、特定の溶剤と、特定のポリマーとを組み合わせることで、上記課題を解決できることを見出した。
すなわち、本発明は、以下の態様を有する。
【０００８】
［１］（Ａ）成分：ノニオン界面活性剤と、（Ｂ）成分：下記一般式（ｂ−１）で表される化合物と、（Ｃ）成分：アクリル酸アルキルとメタクリル酸アルキルとの非架橋型の共重合体と、を含有する、衣料用液体洗浄剤組成物。
【０００９】
【化１】
2020033474.tif 000002
［式中、Ｒ１〜Ｒ３は、それぞれ独立に水素原子又は炭素数１〜３のアルキル基であり、Ｒ４は、水素原子又はアセチル基である。］
【００１０】
［２］前記（Ａ）成分が、下記一般式（ａ−１）で表される化合物である、［１］に記載の衣料用液体洗浄剤組成物。
Ｒ１１−Ｏ−（ＥＯ）ｍ−Ｈ  ・・・（ａ−１）
［式中、Ｒ１１は炭素数１０〜１８のアルキル基又はアルケニル基であり、ＥＯはオキシエチレン基であり、ｍはＥＯの平均繰り返し数を示し、２〜２０の数である。］
［３］前記（Ｂ）成分が、３−メトキシ−３―メチルブタノールである、［１］又は［２］に記載の衣料用液体洗浄剤組成物。
［４］前記（Ｂ）成分の含有量が、総質量に対して、０．１〜１５質量％である、［１］〜［３］のいずれかに記載の衣料用液体洗浄剤組成物。
［５］前記（Ｃ）成分の含有量が、総質量に対して、０．０１〜３質量％である、［１］〜［４］のいずれかに記載の衣料用液体洗浄剤組成物。
［６］前記（Ｃ）成分の質量平均分子量が、１００，０００以上である、［１］〜［５］のいずれかに記載の衣料用液体洗浄剤組成物。
［７］前記（Ｂ）成分／前記（Ｃ）成分で表される質量比が、１〜３００である、［１］〜［６］のいずれかに記載の衣料用液体洗浄剤組成物。
【発明の効果】
【００１１】
本発明の衣料用液体洗浄剤組成物によれば、液体安定性に優れ、かつ、低温時の使用性と高温時の使用性との両立を図れる。
【発明を実施するための形態】
【００１２】
［衣料用液体洗浄剤組成物］
本発明の衣料用液体洗浄剤組成物（以下、単に「液体洗浄剤」ともいう。）は、（Ａ）成分、（Ｂ）成分、及び（Ｃ）成分を含有する組成物である。
【００１３】
＜（Ａ）成分＞
（Ａ）成分は、ノニオン界面活性剤である。本発明の液体洗浄剤は、（Ａ）成分を含有することで、各種の汚れに対する洗浄性能を発揮する。
（Ａ）成分としては、例えば、ポリオキシアルキレン型ノニオン界面活性剤、アルキルフェノール、炭素数８〜２２の脂肪酸又は炭素数８〜２２のアミン等のアルキレンオキサイド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキサイド付加体、多価アルコール脂肪酸エーテル、アルキル（又はアルケニル）アミンオキサイド、硬化ヒマシ油のアルキレンオキサイド付加体、糖脂肪酸エステル、Ｎ−アルキルポリヒドロキシ脂肪酸アミド、アルキルグリコシド等が挙げられる。
（Ａ）成分としては、上記の中でも、液体洗浄剤の粘度を適度に保持しつつ、液体安定性が向上する点で、ポリオキシアルキレン型ノニオン界面活性剤が好ましい。
【００１４】
ポリオキシアルキレン型ノニオン界面活性剤としては、例えば、下記一般式（ａ−１）で表される化合物（以下、「化合物（ａ１）」ともいう。）、下記一般式（ａ―２）で表される化合物（以下、「化合物（ａ２）」ともいう。）等が挙げられる。
Ｒ１１−Ｏ−（ＥＯ）ｍ−Ｈ  ・・・（ａ−１）
Ｒ１２−ＣＯ−（ＯＲ１３）ｎ−ＯＲ１４  ・・・（ａ−２）
【００１５】
式（ａ−１）中、Ｒ１１は炭素数１０〜１８のアルキル基又はアルケニル基であり、ＥＯはオキシエチレン基であり、ｍはＥＯの平均繰り返し数を示し、２〜２０の数である。
Ｒ１１の炭素数は、洗浄力の点から、１２〜１６が好ましく、１２〜１５がより好ましい。Ｒ１１としては、アルキル基が好ましく、炭素数１２〜１５のアルキル基がより好ましい。
ｍは、２〜２０であり、２〜１５が好ましく、２〜７がより好ましい。ｍが上記数値範囲内であると、被洗物への浸透性が向上しやすい。加えて、被洗物の脂質汚れに対する洗浄力（脂質洗浄力）が向上しやすい。
化合物（ａ１）としては、第１級アルコールに酸化エチレンを付加した第１級アルコールエトキシレートが特に好ましい。
【００１６】
式（ａ−２）中、Ｒ１２は炭素数９〜１３の炭化水素基であり、Ｒ１３は炭素数２〜４のアルキレン基であり、Ｒ１４は炭素数１〜４のアルキル基である。ｎはＯＲ１３の平均繰り返し数を示し、５〜２５の数である。複数のＲ１３は、相互に同じであってもよく異なってもよい。複数のＲ１２が異なる場合、それらはブロック状に付加していてもよく、ランダム状に付加していてもよい。
【００１７】
化合物（ａ２）としては、上述した中でも、Ｒ１３がエチレン基であるポリオキシエチレン脂肪酸アルキルエステルが好ましく、その中でもＲ１４がメチル基であるポリオキシエチレン脂肪酸メチルエステル（以下、「ＭＥＥ」と記載することがある。）がさらに好ましい。これらは高濃度の界面活性剤を含有しても粘度の著しい増大（ゲル化）が生じにくく、良好な流動性を有しやすい。
【００１８】
（Ａ）成分は、１種を単独で用いてもよく、２種以上を併用してもよい。
（Ａ）成分の含有量は、液体洗浄剤の総質量に対して、１０〜５０質量％が好ましく、１０〜４０質量％がより好ましく、１５〜３０質量％がさらに好ましい。（Ａ）成分の含有量が上記下限値以上であると、洗浄力が高まるとともに、後述する（Ｃ）成分の分散性を向上しやすい。（Ａ）成分の含有量が上記上限値以下であると、液体洗浄剤の粘度の増大を抑制しやすい。
【００１９】
＜（Ｂ）成分＞
（Ｂ）成分は、下記一般式（ｂ−１）で表される化合物である。本発明の液体洗浄剤は、（Ｂ）成分を含有することで、使用性を向上しやすい。
【００２０】
【化２】
2020033474.tif 000003
【００２１】
式中、Ｒ１〜Ｒ３は、それぞれ独立に水素原子又は炭素数１〜３のアルキル基であり、Ｒ４は、水素原子又はアセチル基である。
【００２２】
式（ｂ−１）中、Ｒ１〜Ｒ３は、全てが水素原子であるか、又は１つがアルキル基であり、他の２つが水素原子であることが好ましい。すなわち、Ｒ１〜Ｒ３の内、２つ以上が水素原子であることが好ましい。Ｒ１〜Ｒ３の内、２つ以上が水素原子であると、液体洗浄剤の液体安定性を良好にしやすい。加えて、Ｒ１〜Ｒ３の内、２つ以上が水素原子であると、液体洗浄剤の使用性を向上しやすい。
Ｒ１〜Ｒ３のいずれかがアルキル基である場合、前記アルキル基の炭素数は、１〜２が好ましく、１がより好ましい。Ｒ１〜Ｒ３の炭素数が上記数値範囲内であると、液体洗浄剤の使用性を向上しやすい。
Ｒ４は、液体洗浄剤の使用性を向上しやすい観点から、水素原子が好ましい。
【００２３】
（Ｂ）成分としては、例えば、３−メトキシブタノール、３−メトキシ−３−メチルブタノール、３−メトキシ−３−エチルブタノール、３−メトキシ−３−プロピルブタノール、３−メトキシ−２−メチルブタノール、３−メトキシ−２−エチルブタノール、３−メトキシ−２−プロピルブタノール、３−メトキシ−１−メチルブタノール、３−メトキシ−１−エチルブタノール、３−メトキシ−１−プロピルブタノール等、式（ｂ−１）中のＲ４が水素原子であるもの；３−メトキシブチルアセテート、３−メトキシ−３−メチルブチルアセテート、３−メトキシ−３−エチルブチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、３−メトキシ−１−プロピルブチルアセテート等、式（ｂ−１）中のＲ４がアセチル基であるもの等が挙げられる。
中でも、（Ｂ）成分としては、３−メトキシブタノール、３−メトキシ−３−メチルブタノール、３−メトキシ−２−メチルブタノール、３−メトキシ−１−メチルブタノール、３−メトキシ−３−メチルブチルアセテートが好ましく、３−メトキシ−３―メチルブタノールがより好ましい。
【００２４】
（Ｂ）成分は、１種を単独で用いてもよく、２種以上を併用してもよい。
（Ｂ）成分の含有量は、液体洗浄剤の総質量に対して、０．１〜１５質量％が好ましく、０．５〜１０質量％がより好ましく、１〜５質量％がさらに好ましい。（Ｂ）成分の含有量が上記下限値以上であると、液体洗浄剤の使用性を向上しやすい。（Ｂ）成分の含有量が上記上限値以下であると、液体洗浄剤の液体安定性をより良好にしやすい。
【００２５】
＜（Ｃ）成分＞
（Ｃ）成分は、アクリル酸アルキルとメタクリル酸アルキルとの非架橋型の共重合体である。本発明の液体洗浄剤は、（Ｃ）成分を含有することで、使用性を向上しやすくなる。
なお、本明細書において、「非架橋型の共重合体」とは、分子内に炭素−炭素二重結合を１つだけ持つ単量体が重合した共重合体をいう。
【００２６】
（Ｃ）成分としては、下記一般式（ｃ−１）で表される単量体（以下、「単量体（ｃ１）」ともいう。）から誘導された繰り返し単位、及び下記一般式（ｃ−２）で表される単量体（以下、「単量体（ｃ２）」ともいう。）から誘導された繰り返し単位より選ばれる１種以上の繰り返し単位を有する共重合体が挙げられる。
【００２７】
【化３】
2020033474.tif 000004
【００２８】
式（ｃ−１）中、Ｒ５１は水素原子又はメチル基であり、Ｒ５２は水素原子である。
式（ｃ−２）中、Ｒ５３は水素原子又はメチル基であり、Ｒ５４は炭素数１〜４０のアルキル基である。
【００２９】
単量体（ｃ１）としては、アクリル酸、メタクリル酸が挙げられる。
単量体（ｃ１）は、１種を単独で用いてもよく、２種以上を併用してもよい。
【００３０】
単量体（ｃ２）において、Ｒ５４のアルキル基は、直鎖状であってもよく、分岐鎖状であってもよい。Ｒ５４のアルキル基は、環状構造を含んでいてもよい。
Ｒ５４のアルキル基の炭素数は、１〜４０であり、１〜２０が好ましく、１〜１０がより好ましい。
【００３１】
単量体（ｃ２）としては、例えば、アクリル酸メチル、アクリル酸エチル、アクリル酸ｎ−プロピル、アクリル酸ｎ−ブチル、アクリル酸オクチル、アクリル酸デシル、アクリル酸ドデシル、アクリル酸イコシル等のアクリル酸エステル；メタクリル酸メチル、メタクリル酸エチル、メタクリル酸ｎ−プロピル、メタクリル酸ｎ−ブチル、メタクリル酸デシル、メタクリル酸ドデシル、メタクリル酸イコシル等のメタクリル酸エステルが挙げられる。
単量体（ｃ２）としては、アクリル酸エステルが好ましい。
単量体（ｃ２）は、１種を単独で用いてもよく、２種以上を併用してもよい。
【００３２】
（Ｃ）成分としては、市販品を用いてもよい。（Ｃ）成分の市販品としては、例えば、Ｌｕｂｒｉｚｏｌ社製の商品名「Ｎｏｖｅｔｈｉｘ  ＨＣ２００」等が挙げられる。
【００３３】
（Ｃ）成分の質量平均分子量は、１００，０００以上が好ましい。（Ｃ）成分の質量平均分子量が上記下限値以上であると、液体洗浄剤を使用しやすい粘度に調整しやすい。
（Ｃ）成分の質量平均分子量は、ポリエチレングリコール（ＰＥＧ）を標準物質として、ゲル浸透クロマトグラフィー（ＧＰＣ）により求めることができる。
【００３４】
（Ｃ）成分は、１種を単独で用いてもよく、２種以上を併用してもよい。
（Ｃ）成分の含有量は、液体洗浄剤の総質量に対して、０．０１〜３質量％が好ましく、０．０５〜２質量％がより好ましく、０．１〜１質量％がさらに好ましい。（Ｃ）成分の含有量が上記下限値以上であると、液体洗浄剤の粘度を増加しやすい。（Ｃ）成分の含有量が上記上限値以下であると、増粘が抑制され、液体洗浄剤の液体安定性をより良好にしやすい。
【００３５】
（Ｂ）成分／（Ｃ）成分で表される質量比（以下、（Ｂ）／（Ｃ）比ともいう。）は、１〜３００が好ましく、１０〜１００がより好ましく、２０〜８０がさらに好ましい。（Ｂ）／（Ｃ）比が上記数値範囲内であると、液体洗浄剤の使用性をより向上しやすい。
【００３６】
＜任意成分＞
本発明の液体洗浄剤は、本発明の効果を損なわない範囲内であれば、（Ａ）成分、（Ｂ）成分、（Ｃ）成分以外の任意成分を含有してもよい。任意成分としては、液体洗浄剤に通常用いられる成分を配合することができる。
任意成分としては、例えば、（Ａ）成分を除く界面活性剤、（Ｂ）成分を除く水混和性有機溶剤、酵素、水、可溶化剤、減粘剤、アルカリ剤、金属イオン補足剤（キレート剤）、酸化防止剤、防腐剤、酵素安定化剤、風合い向上剤、蛍光増白剤、再汚染防止剤、パール剤、ソイルリリース剤、着香剤、着色剤、乳濁化剤、天然物等のエキス、ｐＨ調整剤等が挙げられる。
【００３７】
（Ａ）成分を除く界面活性剤（以下、他の界面活性剤ともいう。）としては、アニオン界面活性剤、カチオン界面活性剤、両性界面活性剤、半極性界面活性剤等が挙げられる。
【００３８】
アニオン界面活性剤は、公知のアニオン界面活性剤の中から適宜選択して用いることができる。
アニオン界面活性剤としては、例えば、直鎖アルキルベンゼンスルホン酸又はその塩；α−オレフィンスルホン酸塩；直鎖又は分岐鎖のアルキル硫酸エステル塩；アルキルエーテル硫酸エステル塩又はアルケニルエーテル硫酸エステル塩；アルキル基を有するアルカンスルホン酸塩；α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
液体洗浄剤の洗浄力をより高めやすい観点から、直鎖アルキルベンゼンスルホン酸又はその塩としては、直鎖アルキル基の炭素数が８〜１６のものが好ましく、炭素数１０〜１４のものがより好ましい。
液体洗浄剤の洗浄力をより高めやすい観点から、α−オレフィンスルホン酸塩としては、炭素数１０〜２０のものが好ましい。
液体洗浄剤の洗浄力をより高めやすい観点から、アルキル硫酸エステル塩としては、アルキル基の炭素数が１０〜２０のものが好ましい。
液体洗浄剤の洗浄力をより高めやすい観点から、アルキルエーテル硫酸エステル塩又はアルケニルエーテル硫酸エステル塩としては、炭素数１０〜２０の直鎖又は分岐鎖のアルキル基もしくはアルケニル基を有し、平均１〜１０モルのエチレンオキシドを付加したもの（すなわち、ポリオキシエチレンアルキルエーテル硫酸エステル塩又はポリオキシエチレンアルケニルエーテル硫酸エステル塩）が好ましい。
液体洗浄剤の洗浄力をより高めやすい観点から、アルカンスルホン酸塩としては、アルキル基の炭素数が１０〜２０のものが好ましく、１４〜１７のものがより好ましい。中でも、前記アルキル基が２級アルキル基であるもの（すなわち、２級アルカンスルホン酸塩）が特に好ましい。
α−スルホ脂肪酸エステル塩としては、例えば、α−スルホ脂肪酸エステルがＲａＣＨ（ＳＯ３Ｍ）ＣＯＯＲｂ（但し、Ｒａ及びＲｂはそれぞれ独立して炭化水素基であり、Ｍは対イオンである。）で表される化合物が挙げられる。液体洗浄剤の洗浄力をより高めやすい観点から、ＲａＣＨ（ＳＯ３Ｍ）ＣＯＯＲｂで表される化合物は、脂肪酸残基（すなわち、Ｒａ−Ｃ（Ｈ）−ＣＯＯで表される基）の炭素数が１０〜２０のものが好ましい。
これらの中でも、直鎖アルキルベンゼンスルホン酸又はその塩、アルカンスルホン酸塩、ポリオキシエチレンアルキルエーテル硫酸エステル塩、及びα−オレフィンスルホン酸塩から選ばれる少なくとも１種のアニオン界面活性剤がさらに好ましく、ポリオキシエチレンアルキルエーテル硫酸エステル塩が特に好ましい。
【００３９】
アニオン界面活性剤としては、上記以外に、例えば、炭素数８〜２２の脂肪酸（高級脂肪酸）又はその塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン界面活性剤等が挙げられる。
これらのアニオン界面活性剤は、市販品を用いてもよい。
【００４０】
液体洗浄剤がアニオン界面活性剤を含有する場合、アニオン界面活性剤の含有量は、液体洗浄剤の総質量に対して、１〜３０質量％が好ましく、５〜２０質量％がより好ましく、７〜１５質量％がさらに好ましい。アニオン界面活性剤の含有量が上記下限値以上であると、皮脂汚れに対する洗浄力（皮脂洗浄力）がより高まる。アニオン界面活性剤の含有量が上記上限値以下であると、液体洗浄剤の流動性がより高まり、液体安定性をより良好にしやすい。
【００４１】
カチオン界面活性剤としては、例えば、テトラメチルアンモニウム塩、テトラエチルアンモニウム塩、テトラプロピルアンモニウム塩、テトラブチルアンモニウム塩等のテトラ短鎖（炭素数１〜４のアルキル）アンモニウム塩；オクチルトリメチルアンモニウム塩、デシルトリメチルアンモニウム塩、ドデシルトリメチルアンモニウム塩、テトラデシルトリメチルアンモニウム塩、ラウリルトリメチルアンモニウム塩、セチルトリメチルアンモニウム塩、パルミチルトリメチルアンモニウム塩、ステアリルトリメチルアンモニウム塩、オクチルジメチルエチルアンモニウム塩、デシルジメチルエチルアンモニウム塩、ドデシルジメチルエチルアンモニウム塩、テトラデシルジメチルエチルアンモニウム塩、ラウリルジメチルエチルアンモニウム塩、セチルジメチルエチルアンモニウム塩、ステアリルジメチルエチルアンモニウム塩、オクチルジエチルメチルアンモニウム塩、デシルジエチルメチルアンモニウム塩、ドデシルジエチルメチルアンモニウム塩、テトラデシルジエチルメチルアンモニウム塩、セチルジエチルメチルアンモニウム塩、ステアリルジエチルメチルアンモニウム塩等の長鎖（炭素数８〜１８のアルキル）トリ短鎖（炭素数１又は２のアルキル）アンモニウム塩；ジオクチルジメチルアンモニウム塩、ジデシルジメチルアンモニウム塩、ジドデシルジメチルアンモニウム塩、ジテトラデシルジメチルアンモニウム塩、ジセチルジメチルアンモニウム塩、ジステアリルジメチルアンモニウム塩、ジオクチルメチルエチルアンモニウム塩、ジデシルメチルエチルアンモニウム塩、ジドデシルメチルエチルアンモニウム塩、ジテトラデシルメチルエチルアンモニウム塩、ジセチルメチルエチルアンモニウム塩、ジステアリルメチルエチルアンモニウム塩等のジ長鎖（炭素数８〜１８のアルキル）ジ短鎖（炭素数１又は２のアルキル）アンモニウム塩；ステアリルジメチルヒドロキシエチルアンモニウム等の長鎖（炭素数８〜１８のアルキル）ジ短鎖（炭素数１又は２のアルキル）ヒドロキシアルキル（炭素数１又は２）アンモニウム塩；［３（トリメトキシシリル）］プロピル（ジメチル）オクタデシルアンモニウム塩等のトリアルコキシシリルアルキル基（炭素数４〜１０）を有するジ短鎖（炭素数１又は２のアルキル）長鎖（炭素数８〜１８のアルキル）アンモニウム塩；アミンナイトレート；ベンジルトリメチルアンモニウム塩；ベンザルコニウム塩；ベンゼトニウム塩等が挙げられる。
塩としては、塩素、臭素、ヨウ素等のハロゲン化物；水酸化物；炭素数１〜５のスルホン酸エステル、硫酸エステル、硝酸エステル等が挙げられる。
【００４２】
両性界面活性剤としては、例えば、オクタン酸アミドプロピルジメチルアミノ酢酸ベタイン、デカン酸アミドプロピルジメチルアミノ酢酸ベタイン、ラウリン酸アミドプロピルジメチルアミノ酢酸ベタイン、ミリスチン酸アミドプロピルジメチルアミノ酢酸ベタイン、ステアリン酸アミドプロピルジメチルアミノ酢酸ベタイン、オレイン酸アミドプロピルジメチルアミノ酢酸ベタイン、ヤシ油脂肪酸アミドプロピルジメチルアミノ酢酸ベタイン、パーム油脂肪酸アミドプロピルジメチルアミノ酢酸ベタイン、パーム核油脂肪酸アミドプロピルジメチルアミノ酢酸ベタイン、オクチルジメチルアミノ酢酸ベタイン、デシルジメチルアミノ酢酸ベタイン、ラウリルジメチルアミノ酢酸ベタイン、ミリスチルジメチルアミノ酢酸ベタイン、ステアリルジメチルアミノ酢酸ベタイン、オレイルジメチルアミノ酢酸ベタイン、オクタン酸アミドプロピルヒドロキシスルホベタイン、デカン酸アミドプロピルヒドロキシスルホベタイン、ラウリン酸アミドプロピルヒドロキシスルホベタイン、ミリスチン酸アミドプロピルヒドロキシスルホベタイン、ステアリン酸アミドプロピルヒドロキシスルホベタイン、オレイン酸アミドプロピルヒドロキシスルホベタイン、ヤシ油脂肪酸アミドプロピルヒドロキシスルホベタイン、パーム油脂肪酸アミドプロピルヒドロキシスルホベタイン、パーム核油脂肪酸アミドプロピルヒドロキシスルホベタイン、オクチルヒドロキシスルホベタイン、デシルヒドロキシスルホベタイン、ラウリルヒドロキシスルホベタイン、ミリスチルヒドロキシスルホベタイン、ステアリルヒドロキシスルホベタイン、オレイルヒドロキシスルホベタイン等が挙げられる。
【００４３】
半極性界面活性剤としては、アミンオキシド型界面活性剤であるラウリルジメチルアミンオキシド、ラウリン酸アミドプロピルジメチルアミンオキシド等が挙げられる。
【００４４】
液体洗浄剤が他の界面活性剤を含有する場合、他の界面活性剤の含有量は、液体洗浄剤の総質量に対して、５〜４０質量％が好ましく、５〜３５質量％がより好ましく、５〜３０質量％がさらに好ましい。
【００４５】
界面活性剤の総質量は、液体洗浄剤の総質量に対して、５〜７０質量％が好ましく、１０〜６０質量％がより好ましく、１５〜４０質量％がさらに好ましい。界面活性剤の総質量が上記下限値以上であると、液体洗浄剤の洗浄力を高めやすい。界面活性剤の総質量が上記上限値以下であると、液体洗浄剤の液体安定性をより良好にしやすい。
界面活性剤の総質量に対する（Ａ）成分の含有量は、５０〜１００質量％が好ましく、７５〜１００質量％がより好ましい。界面活性剤の総質量に対する（Ａ）成分の含有量が上記下限値以上であると、液体洗浄剤の洗浄力を高めやすい。界面活性剤の総質量に対する（Ａ）成分の含有量が上記上限値以下であると、液体洗浄剤の液体安定性をより良好にしやすい。
【００４６】
本発明の液体洗浄剤は、（Ｂ）成分を除く水混和性有機溶剤を含有することで、液体安定性をより良好にでき、液体洗浄剤の流動性をより良好にしやすい。本明細書において、水混和性有機溶剤とは、２５℃のイオン交換水１Ｌに５０ｇ以上溶解する有機溶剤をいう。
【００４７】
（Ｂ）成分を除く水混和性有機溶剤としては、例えば、炭素数２〜４の一価アルコール、炭素数２〜４の多価アルコール、下記一般式（Ｉ）で表されるグリコールエーテル系溶剤等が挙げられる。
【００４８】
Ｒ３１−（ＯＲ３２）ｗＯＨ・・・（Ｉ）
（Ｉ）式中、Ｒ３１は水素、炭素数１〜６のアルキル基又はフェニル基であり、Ｒ３２は炭素数２〜４のアルキレン基であり、ｗは平均付加モル数を表し、１〜３００００の数である。
【００４９】
炭素数２〜４の一価アルコールとしては、例えば、エタノール、１−プロパノール、２−プロパノール、１−ブタノール等が挙げられる。
炭素数２〜４の多価アルコールとしては、例えば、エチレングリコール、プロピレングリコール、ブチレングリコール、グリセリン等が挙げられる。
式（Ｉ）で表されるグリコールエーテル系溶剤としては、例えば、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル等が挙げられる。
【００５０】
式（Ｉ）において、Ｒ３１が水素である化合物としては、ポリエチレングリコールが挙げられる。ポリエチレングリコールとしては、式（Ｉ）におけるｗが５以上のものが好ましい。また、ポリエチレングリコールの質量平均分子量は、２００〜１３２００００が好ましく、２００〜５０００がより好ましく、２００〜２０００がさらに好ましく、２００〜１０００が特に好ましい。これらの中でも、質量平均分子量が１０００（ｗが２２〜２４）のポリエチレングリコールが特に好ましい。なお、ポリエチレングリコールの質量平均分子量は、溶媒としてメタノールを用いてＧＰＣにより測定した値を、ポリエチレングリコールにおける較正曲線に基づいて算出した値を示す。
（Ｂ）成分を除く水混和性有機溶剤としては、これらの中でも、流動性に優れる点、臭気の穏やかな点、原料の入手のしやすさの点から、エタノール、プロピレングリコール、ジエチレングリコールモノブチルエーテル、ポリエチレングリコールが好ましく、エタノール、ポリエチレングリコールがより好ましい。
【００５１】
（Ｂ）成分を除く水混和性有機溶剤は、１種を単独で用いてもよく、２種以上を併用してもよい。
液体洗浄剤が（Ｂ）成分を除く水混和性有機溶剤を含有する場合、（Ｂ）成分を除く水混和性有機溶剤の含有量は、液体洗浄剤の総質量に対して、２．５〜２５質量％が好ましい。（Ｂ）成分を除く水混和性有機溶剤の含有量が上記数値範囲内であると、液体安定性をより良好にしやすい。
【００５２】
水混和性有機溶剤の総質量は、液体洗浄剤の総質量に対して、２．５〜４０質量％が好ましく、３〜３５質量％がより好ましく、３．５〜３０質量％がさらに好ましい。水混和性有機溶剤の総質量が上記下限値以上であると、液体洗浄剤の使用性を向上しやすい。水混和性有機溶剤の総質量が上記上限値以下であると、液体洗浄剤の液体安定性をより良好にしやすい。
水混和性有機溶剤の総質量に対する（Ｂ）成分の含有量は、４〜６０質量％が好ましく、１０〜４５質量％がより好ましい。水混和性有機溶剤の総質量に対する（Ｂ）成分の含有量が上記下限値以上であると、液体洗浄剤の使用性を向上しやすい。水混和性有機溶剤の総質量に対する（Ｂ）成分の含有量が上記上限値以下であると、液体洗浄剤の液体安定性をより良好にしやすい。
【００５３】
酵素としては、例えば、プロテアーゼ、アミラーゼ、リパーゼ、セルラーゼ、マンナナーゼ等が挙げられる。なお、本明細書において「酵素」とは酵素製剤を意味する。
プロテアーゼとしては、プロテアーゼ製剤としてノボザイムズ社から入手できる商品名Ｓａｖｉｎａｓｅ１６Ｌ、Ｓａｖｉｎａｓｅ  Ｕｌｔｒａ  １６Ｌ、Ｓａｖｉｎａｓｅ  Ｕｌｔｒａ  １６ＸＬ，Ｅｖｅｒｌａｓｅ  １６Ｌ  ＴｙｐｅＥＸ、Ｅｖｅｒｌａｓｅ  Ｕｌｔｒａ  １６Ｌ、Ｅｓｐｅｒａｓｅ  ８Ｌ、Ａｌｃａｌａｓｅ  ２．５Ｌ、Ａｌｃａｌａｓｅ  Ｕｌｔｒａ  ２．５Ｌ、Ｌｉｑｕａｎａｓｅ  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ  ４８Ｌ、ジェネンコア社から入手できる商品名Ｐｕｒａｆｅｃｔ  Ｌ、Ｐｕｒａｆｅｃｔ  ＯＸ、Ｐｒｏｐｅｒａｓｅ  Ｌ等が挙げられる。
アミラーゼとしては、アミラーゼ製剤としてノボザイムズ社から入手できる商品名Ｔｅｒｍａｍｙｌ  ３００Ｌ、Ｔｅｒｍａｍｙｌ  Ｕｌｔｒａ  ３００Ｌ、Ｄｕｒａｍｙｌ  ３００Ｌ、Ｓｔａｉｎｚｙｍｅ  １２Ｌ、Ｓｔａｉｎｚｙｍｅ  Ｐｌｕｓ  １２Ｌ、ジェネンコア社から入手できる商品名Ｍａｘａｍｙｌ、天野エンザイム株式会社から入手できる商品名プルラナーゼアマノ、生化学工業株式会社から入手できる商品名ＤＢ−２５０等が挙げられる。
リパーゼとしては、リパーゼ製剤としてノボザイムズ社から入手できる商品名Ｌｉｐｅｘ  １００Ｌ、Ｌｉｐｏｌａｓｅ  １００Ｌ等が挙げられる。
セルラーゼとして、セルラーゼ製剤としてノボザイムズ社から入手できる商品名Ｅｎｄｏｌａｓｅ  ５０００Ｌ、Ｃｅｌｌｕｚｙｍｅ  ０．４Ｌ、Ｃａｒｚｙｍｅ  ４５００Ｌ等が挙げられる。
マンナナーゼとして、マンナナーゼ製剤としてノボザイムズ社から入手できる商品名Ｍａｎｎａｗａｙ  ４Ｌ等が挙げられる。
【００５４】
酵素は、１種を単独で用いてもよく、２種以上を併用してもよい。
液体洗浄剤が酵素を含有する場合、酵素の含有量は、液体洗浄剤の総質量に対して、０．０１〜１．０質量％が好ましく、０．０３〜０．９質量％がより好ましく、０．０５〜０．８質量％がさらに好ましい。酵素の含有量が上記下限値以上であると、液体洗浄剤の洗浄力を高めやすい。酵素の含有量が上記上限値以下であると、液体安定性をより良好にしやすい。
【００５５】
本発明の液体洗浄剤は、水を含むことが好ましい。水の含有量は、液体洗浄剤の総質量に対し、１０〜９５質量％が好ましく、２０〜９０質量％がより好ましく、４０〜９０質量％がさらに好ましい。水の含有量が上記下限値以上であると、製造時のハンドリングのしやすさ及び使用する際の水への溶解性がより優れる。水の含有量が上記上限値以下であると、液体洗浄剤の洗浄力を高めやすい。
【００５６】
可溶化剤又は減粘剤としては、芳香族スルホン酸又はその塩が挙げられる。芳香族スルホン酸又はその塩としては、例えば、トルエンスルホン酸、キシレンスルホン酸、クメンスルホン酸、置換もしくは非置換ナフタレンスルホン酸、トルエンスルホン酸塩、キシレンスルホン酸塩、クメンスルホン酸塩、置換もしくは非置換ナフタレンスルホン酸塩が挙げられる。
塩としては、ナトリウム塩、カリウム塩、カルシウム塩、マグネシウム塩、アンモニウム塩、又はアルカノールアミン塩等が挙げられる。
可溶化剤は、１種を単独で用いてもよく、２種以上を併用してもよい。
液体洗浄剤が可溶化剤又は減粘剤を含有する場合、可溶化剤又は減粘剤の含有量は、液体洗浄剤の総質量に対して、３〜７質量％が好ましい。
【００５７】
アルカリ剤としては、例えば、モノエタノールアミン、ジエタノールアミン、トリエタノールアミン等が挙げられる。
アルカリ剤は、１種を単独で用いてもよく、２種以上を併用してもよい。
液体洗浄剤がアルカリ剤を含有する場合、アルカリ剤の含有量は、液体洗浄剤の総質量に対して、０．５〜５質量％が好ましい。
【００５８】
金属イオン捕捉剤（キレート剤）としては、例えば、マロン酸、コハク酸、リンゴ酸、ジグリコール酸、酒石酸、クエン酸、ＨＥＤＰ（ヒドロキシエタジスルホン酸）、又はこれらの塩、ＭＧＤＡ（メチルグリシンジ酢酸３ナトリウム）等が挙げられる。
液体洗浄剤がキレート剤を含有する場合、キレート剤の配合量は、液体洗浄剤組成物の総質量に対して、０．０１〜２０質量％が好ましい。
【００５９】
酸化防止剤としては、特に限定はされないが、洗浄力と液体安定性が良好であることから、フェノール系酸化防止剤が好ましく、ジブチルヒドロキシトルエン、ブチルヒドロキシアニソール等のモノフェノール系酸化防止剤、２，２’−メチレンビス（４−メチル−６−ｔ−ブチルフェノール等のビスフェノール系酸化防止剤、ｄｌ−α−トコフェロール等の高分子型フェノール系酸化防止剤がより好ましく、モノフェノール系酸化防止剤、高分子型酸化防止剤がさらに好ましい。
モノフェノール系酸化防止剤の中では、ジブチルヒドロキシトルエンが特に好ましい。高分子型フェノール系酸化防止剤の中では、ｄｌ−α−トコフェロールが特に好ましい。
酸化防止剤は、１種を単独で用いてもよく、２種以上を併用してもよい。
液体洗浄剤が酸化防止剤を含有する場合、酸化防止剤の含有量は、液体洗浄剤組成物の総質量に対して、０．０１〜２質量％が好ましい。
【００６０】
防腐剤としては、例えば、ダウ社製の商品名「ケーソンＣＧ」、ロンザ社製の商品名「ＡＮ−１０００」、ソー社製の商品名「ＭＢＳ」、クラリアント社製の商品名「ＮＩＰＡＣＩＤＥ  ＢＩＴ  ２０」等が挙げられる。
液体洗浄剤が防腐剤を含有する場合、防腐剤の含有量は、液体洗浄剤の総質量に対して、０．００１〜１質量％が好ましい。
【００６１】
酵素安定化剤としては、例えば、ホウ酸、ホウ砂、ギ酸又はその塩、安息香酸、乳酸又はその塩、塩化カルシウム、硫酸カルシウム等のカルシウム塩類等が挙げられる。
酵素安定化剤の含有量は、液体洗浄剤の総質量に対して、０〜２質量％が好ましい。
【００６２】
風合い向上剤としては、例えば、ジメチルシリコーン、ポリエーテル変性シリコーン、アミノ変性シリコーン等のシリコーンが挙げられる。
風合い向上剤の含有量は、液体洗浄剤の総質量に対して、０〜５質量％が好ましい。
【００６３】
蛍光増白剤は、白色衣類の白度向上を目的として添加される薬剤である。蛍光増白剤としては、例えば、ジスチリルビフェニル型の蛍光増白剤が挙げられる。
蛍光増白剤の含有量は、液体洗浄剤の総質量に対して、０〜１質量％が好ましい。
【００６４】
再汚染防止剤としては、例えば、ポリビニルピロリドン、カルボキシメチルセルロース等が挙げられる。
再汚染防止剤の含有量は、液体洗浄剤の総質量に対して、０〜２質量％が好ましい。
【００６５】
パール剤としては、例えば、クラリアント社製の商品名「ＳＲＮ−１００」等が挙げられる。ソイルリリース剤としては、例えば、ＢＡＳＦ社製の商品名「ＨＰ２０」等が挙げられる。
【００６６】
液体洗浄剤は、商品の付加価値向上を目的として、着香剤、着色剤、乳濁化剤、天然物等のエキス等を含有してもよい。
着香剤としては、例えば、特開２００２−１４６３９９号公報の表１１〜１８に記載の香料組成物Ａ、Ｂ、Ｃ、Ｄ等が挙げられる。
液体洗浄剤が着香剤を含有する場合、着香剤の含有量は、液体洗浄剤の総質量に対して、０．１〜１質量％が好ましい。
【００６７】
着色剤としては、いずれも商品名として、例えば、アシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ等の汎用の色素や顔料が挙げられる。
液体洗浄剤が着色剤を含有する場合、着色剤の含有量は、液体洗浄剤の総質量に対して、０．００００５〜０．００５質量％（０．５〜５０質量ｐｐｍ）が好ましい。
【００６８】
乳濁化剤としては、例えば、ポリスチレンエマルション、ポリ酢酸ビニルエマルション等が挙げられ、通常、固形分３０〜５０質量％のエマルションが好適に用いられる。市販品としては、ポリスチレンエマルション（サイデン化学株式会社製、商品名「サイビノールＲＰＸ−１９６  ＰＥ−３」、固形分４０質量％）等が挙げられる。
液体洗浄剤が乳濁化剤を含有する場合、乳濁化剤の含有量は、液体洗浄剤の総質量に対し、０．０１〜０．５質量％が好ましい。
【００６９】
天然物等のエキスとしては、例えば、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウ等の植物エキスが挙げられる。
天然物等のエキスの含有量は、液体洗浄剤の総質量に対して、０〜０．５質量％が好ましい。
【００７０】
ｐＨ調整剤としては、例えば、硫酸、塩酸、リン酸、水酸化ナトリウム、水酸化カリウム、アンモニア等が挙げられる。これらの中でも、液体洗浄剤の液体安定性をより良好にしやすくする観点から、硫酸、水酸化ナトリウム、水酸化カリウムが好ましく、硫酸、水酸化ナトリウムがより好ましい。
ｐＨ調整剤は、１種を単独で用いてもよく、２種以上を併用してもよい。
【００７１】
なお、本発明の液体洗浄剤を構成する成分の合計量は１００質量％を超えない。
【００７２】
［液体洗浄剤の製造方法］
本発明の液体洗浄剤は、従来公知の方法により、（Ａ）成分、（Ｂ）成分、（Ｃ）成分と、必要に応じて任意成分と、を混合することにより製造される。
本発明の液体洗浄剤の２５℃におけるｐＨは、４〜１２が好ましく、６〜１０がより好ましい。ｐＨが上記数値範囲内であると、液体洗浄剤の皮脂洗浄力と液体安定性をより良好にしやすい。加えて、液体洗浄剤を塗布洗浄に用いる際に、液体洗浄剤を塗布しやすい粘度に保ちやすい。
ｐＨは、ｐＨ調整剤を適量添加することにより調整できる。
本明細書におけるｐＨは、測定対象を２５℃とし、ｐＨメーター（例えば、東亜ディーケーケー株式会社製の製品名「ＨＭ−３０Ｇ」）等により測定される値を示す。
【００７３】
液体洗浄剤の２５℃における粘度は、２０〜５００ｍＰａ・ｓが好ましく、５０〜３００ｍＰａ・ｓがより好ましい。液体洗浄剤の２５℃における粘度が上記下限値以上であると、塗布洗浄に用いる際に、液体洗浄剤を繊維製品等の汚れに狙い通りに塗布しやすくなる。加えて、容器からの液だれを抑制しやすい。液体洗浄剤の２５℃における粘度が上記上限値以下であると、液体洗浄剤を計量キャップ等で計り取りやすくなる。加えて、塗布洗浄に用いる際に、液体洗浄剤を繊維製品等の広範囲に塗布しやすくなる。
本明細書における粘度は、測定対象を５℃、２５℃又は３５℃とし、Ｂ型粘度計（ＴＯＫＩＭＥＣ社製）で測定した値である。粘度の測定条件は、以下の通りである。
＜測定条件＞
［ローター］
測定対象の粘度に対応するローター番号は、下記の通りである。
・測定対象の粘度が５００ｍＰａ・ｓ未満の場合：ローター番号Ｎｏ．２。
・測定対象の粘度が５００ｍＰａ・ｓ以上２０００ｍＰａ・ｓの場合：ローター番号Ｎｏ．３。
・測定対象の粘度が２０００ｍＰａ・ｓ以上の場合：ローター番号Ｎｏ．４。
［ローター回転数］
６０ｒｐｍ。
［数値の読み取り］
ローターの回転の開始から６０秒後。
【００７４】
液体洗浄剤の５℃における粘度は、３０〜１０００ｍＰａ・ｓが好ましく、６０〜５００ｍＰａ・ｓがより好ましい。液体洗浄剤の５℃における粘度が上記数値範囲内であると、液体洗浄剤を計量キャップ等で計り取りやすくなる。また、塗布洗浄に用いる際に、液体洗浄剤を繊維製品等の広範囲に塗布しやすくなる。
【００７５】
液体洗浄剤の３５℃における粘度は、１０〜３００ｍＰａ・ｓが好ましく、４０〜２００ｍＰａ・ｓがより好ましい。液体洗浄剤の３５℃における粘度が上記数値範囲内であると、塗布洗浄に用いる際に、液体洗浄剤を繊維製品等の汚れに狙い通りに塗布しやすくなる。加えて、液体洗浄剤の３５℃における粘度が上記数値範囲内であると、容器からの液だれを抑制しやすい。
【００７６】
液体洗浄剤の５℃における粘度と、３５℃における粘度との粘度差（以下、単に「粘度差」ともいう。）は、５０ｍＰａ・ｓ未満が好ましく、４０ｍＰａ・ｓ未満がより好ましい。粘度差が上記上限値未満であると、低温時の使用性と高温時の使用性との両立を図りやすい。
【００７７】
［液体洗浄剤の使用方法］
液体洗浄剤の使用方法は、例えば、液体洗浄剤を洗濯時に被洗物と一緒に水に投入する方法、液体洗浄剤を予め水に溶解して調製される洗浄剤水溶液に被洗物を浸漬する方法等が挙げられる。また、液体洗浄剤を被洗物に直接塗布して、例えば、３分〜２４時間放置し、その後、通常の洗濯を行ってもよい（塗布洗浄）。
前記洗浄剤水溶液中の液体洗浄剤の含有量は、特に限定されない。水に対する液体洗浄剤の添加量は、例えば、水１０Ｌ当たり、２〜３０ｍＬが好ましい。
被洗物（繊維製品等）としては、例えば、衣料、布巾、シーツ、カーテン、枕カバー等が挙げられる。繊維製品等の素材は特に限定されず、綿、絹、羊毛等の天然繊維、ポリエステル、ポリアミド等の化学繊維等のいずれでもよい。
【実施例】
【００７８】
以下に実施例を用いて本発明をさらに詳しく説明するが、本発明はこれら実施例に限定されるものではない。
本実施例において使用した原料は、下記の［使用原料］に示す通りである。
【００７９】
［使用原料］
＜（Ａ）成分＞
ａ−１：炭素数１２の分岐鎖含有高級アルコールと炭素数１３の分岐鎖含有高級アルコールとの混合物（Ｓａｓｏｌ社製、Ｓａｆｏｌ２３）に対して平均５モル相当のエチレンオキシドを付加したもの。下記合成方法により、後述するａ−３と共に合成されたもの（Ｃ１２／１３−ＥＯ５）。
【００８０】
《ａ−１の合成方法》
５００ｍＬビーカーに２−エチルヘキサノール（一級試薬、関東化学株式会社製）１３７ｇと、酢酸カルシウム一水和物（特級試薬、関東化学株式会社製）４１．７ｇとを入れ、パドル攪拌翼により室温（２５℃）で混合して分散物を得た。分散物を攪拌しながら、滴下ロートによって、硫酸（特級試薬、関東化学株式会社製）２０．９ｇを１０分間かけて添加し混合した（混合工程）。混合工程では硫酸の添加で発熱するので、ビーカーを水浴して冷却し、反応温度を３０〜５０℃に制御した。硫酸を添加した後、５０℃に保ちながら、さらに２時間攪拌し、アルコキシル化触媒（α）を得た。
オートクレーブに、上記のアルコキシル化触媒（α）１２．５ｇと、１１７０ｇのＳａｆｏｌ２３とを入れ、攪拌した。攪拌しながら、オートクレーブ内を窒素置換し、１００℃に昇温し、１．３ｋＰａ以下の減圧条件で３０分間、脱水を行った。次いで、１６０℃に昇温し、０．１〜０．５ＭＰａの条件で、エチレンオキシド１３３０ｇ（Ｓａｆｏｌ２３の１モルに対して５モル相当）を導入し、０．５時間、攪拌した後、８０℃に冷却し、反応粗製物として、ａ−１（Ｓａｆｏｌ２３のＥＯ５モル付加物）の粗製物と、後述するａ−３（２−エチルヘキサノールのＥＯ５モル付加物）の粗製物との混合物２５１３ｇを得た。その後、前記混合物１０００ｇを２Ｌビーカーに採取し、８０℃に加熱した後、ＫＣフロック１０ｇ、ハイフロスーパーセル５ｇを添加し、１０分間撹拌した。その後、加圧ろ過器にてろ過して精製物を得た。
得られた精製物にはａ−１成分が９８質量％、ａ−３成分が２質量％含まれていた。
【００８１】
ａ−２：炭素数１２の分岐鎖含有高級アルコールと炭素数１３の分岐鎖含有高級アルコールとの混合物（Ｓａｓｏｌ社製、Ｓａｆｏｌ２３）に対して平均７．５モル相当のエチレンオキシドを付加したもの、ライオンケミカル株式会社製、商品名「ＮＮＡＨ−９０」。
ａ−３：２−エチルヘキサノール（一級試薬、関東化学株式会社製）に対して、平均５モル相当のエチレンオキシドを付加したもの。上述の《ａ−１の合成方法》により得られたもの（２ＥＨ−ＥＯ５）。
【００８２】
＜（Ｂ）成分＞
ｂ−１：３−メトキシ−３−メチル−１−ブタノール、株式会社クラレ製、商品名「ソルフィット」。
＜（Ｂ）‘成分（（Ｂ）成分の比較成分）＞
ｂ’−１：エタノール、日本アルコール販売株式会社製、商品名「特定アルコール９５度合成」。
ｂ’−２：ブチルカルビトール、東京化成工業株式会社製、商品名「ブチルカルビトール」。
【００８３】
＜（Ｃ）成分＞
ｃ−１：アクリル酸アルキルとメタクリル酸アルキルとの非架橋型の共重合体、Ｌｕｂｒｉｚｏｌ社製、商品名「Ｎｏｖｅｔｈｉｘ  ＨＣ２００」。
＜（Ｃ）‘成分（（Ｃ）成分の比較成分）＞
ｃ’−１：アクリル酸アルキルとメタクリル酸アルキルとの架橋型の共重合体、Ｌｕｂｒｉｚｏｌ社製、商品名「Ｃａｒｂｏｐｏｌ  Ａｑｕａ３０」。
【００８４】
＜任意成分＞
酵素１：プロテアーゼ、ノボザイムズ社製、商品名「エバラーゼ１６Ｌ」。
水混和性有機溶剤：ポリエチレングリコール、ライオン株式会社製、商品名「ＰＥＧ＃１０００−Ｌ６０」。
可溶化剤：ｐ−トルエンスルホン酸、協和発酵キリン株式会社製、商品名「ｐ−トルエンスルホン酸」。
アルカリ剤：モノエタノールアミン、株式会社日本触媒製、商品名「モノエタノールアミン」。
香料：特開２００２−１４６３９９号公報の表１１〜１８に記載の香料組成物Ａ。
酸化防止剤：ジブチルヒドロキシトルエン、住友化学株式会社製、商品名「ＳＵＭＩＬＺＥＲ  ＢＨＴ−Ｒ」。
ｐＨ調整剤：硫酸、和光純薬工業株式会社製、商品名「硫酸」；又は、水酸化ナトリウム、関東化学株式会社製、商品名「４８％水酸化ナトリウム溶液」。
水：精製水、関東化学株式会社製、商品名「精製水」。
【００８５】
［実施例１〜５、比較例１〜３］
表１の組成に従い、（Ａ）成分〜（Ｃ）成分、及び任意成分を水に加えて混合し、混合液を得た。前記混合液の温度は２５℃であり、混合液のｐＨが９．８となるようにｐＨ調整剤を適量添加して液体洗浄剤を得た。
得られた液体洗浄剤について下記評価法により、液体安定性、使用性を評価した。結果を表１に示す。
なお、表中の各成分の配合量の単位は「質量％」であり、純分換算量を示す。表中の「適量」は、各例の液体洗浄剤のｐＨを表中の値にするのに要したｐＨ調整剤の量である。表中の「バランス」は、各例の組成物に含まれる全配合成分の合計の配合量（質量％）が１００質量％となるように水が配合されていることを意味する。表中の「−」は、その成分が配合されていないことを示す。
【００８６】
＜液体安定性の評価＞
透明のガラス瓶（広口規格びん、ＰＳ−ＮＯ．１１）に、各例の液体洗浄剤１００ｍＬを充填し、蓋を閉めて密封した。この状態で５℃の恒温槽内に７日間静置して保存した。
かかる保存の後、液の外観を目視で観察し、下記評価基準に従って、液体洗浄剤の液体安定性を評価した。「○」を合格とした。
《評価基準》
○：ガラス瓶の底部に沈殿物質が認められず、液の流動性がある。
△：ガラス瓶の底部に沈殿物質が認められるが、ガラス瓶を軽く振ると、その沈殿物質は消失（溶解）する。
×：ガラス瓶の底部に沈殿物質が認められ、ガラス瓶を軽く振ってもその沈殿物質は消失しない、又は、液体洗浄剤の製造直後にゲル化もしくは白濁を生じる。
【００８７】
＜使用性の評価＞
各例の液体洗浄剤を３００ｍＬトールビーカーに入れ、各温度（５℃又は３５℃）に調温した。その後、各温度においてＢ型粘度計（ＴＯＫＩＭＥＣ社製）にてローターの回転開始から１分後の粘度を測定した。５℃における粘度と３５℃における粘度との差を「粘度差」とし、下記評価基準に従って、液体洗浄剤の使用性を評価した。「〇」又は「△」を合格とした。
《評価基準》
○：粘度差が４０ｍＰａ・ｓ未満。
△：粘度差が４０ｍＰａ・ｓ以上５０ｍＰａ・ｓ未満。
×：粘度差が５０ｍＰａ・ｓ以上。
【００８８】
【表１】
2020033474.tif 000005
【００８９】
表１に示すように、本発明を適用した実施例１〜５は、液体安定性が「○」で、液体安定性に優れることが分かった。加えて、本発明を適用した実施例１〜５は、使用性が「〇」又は「△」で、低温時の使用性と高温時の使用性との両立を図れることが分かった。
一方、（Ｂ）成分の代わりに（Ｂ）’成分を用いた比較例１〜２は、使用性が「×」だった。（Ｃ）成分の代わりに（Ｃ）’成分を用いた比較例３は、液体安定性が「△」で、使用性が「×」だった。
【００９０】
本発明の衣料用液体洗浄剤組成物によれば、液体安定性に優れ、かつ、低温時の使用性と高温時の使用性との両立を図れることが分かった。